(57)【要約】      （修正有）【課題】木造建築物において木部の乾燥により、使用されているボルト・ナットの緩みを解決する。【解決手段】ナットに係合するスパナ部とスパナ部に接続するぜんまいバネ２と、ぜんまいバネ２をナットの反締め込み方向に付勢した状態で拘束するとともに、分割または開閉によって拘束を解除できる保持枠３と、保持枠３を拘束状態に固定するとともに、施工時に、固定を解除する仮止め部とからなることを特徴とするナット増し締め装置を提供する。【選択図】  図１
2004270912.tif 000002
【特許請求の範囲】
【請求項１】
ナットに係合するスパナ部とスパナ部に接続するぜんまいバネと、ぜんまいバネをナットの反締め込み方向に付勢した状態で拘束するとともに、分割または開閉によって拘束を解除できる保持枠と、保持枠を拘束状態に固定するとともに施工時に、固定を解除する仮止め部とから成ることを特徴とするナット増し締め装置。
【請求項２】
請求項１において、保持枠は筒型でぜんまいバネの尾端を通す切欠きまたは貫通孔を有するとともに、枠体の少なくとも周上の１点で切り離され、切り離し部分において、枠体の両端部に夫々突出部を有し、突出部相互を連結固定し、施工時に連結を解除または緩める仮止め部から成ることを特徴とするナット増し締め装置。
【発明の詳細な説明】
【発明の属する技術分野】
本発明は、木造建築における構造物の締結部分などの様に、年月の経過とともに緩みを生じる締結ボルト・ナットを自動的に増し締めする装置に関する。
従来より木造建築物は、建築ボルト・ナットを使用して木材を締結するが、如何に充分締め付けてあっても、年月が経過するにつれて緩んでくる。
木材は乾燥し、繊維組織が収縮してボルトのナットが素手で回せるほどにガタガタに緩んだ状態となり、ボルト・ナットで締め付けた効果が弱まることが避けられない。
それゆえに、木造建築物が完成後、数年毎に入りにくい床下、屋根裏に入り増し締めしなければならなかった。
二階台の部分は、人間の入る隙間もなく締める事も出来ず、最悪であった。
乾燥による木材の収縮を説明する関係式としては、次のものがよく使用されている。
収縮量＝（木材の寸法）×（含水率差）×（平均の収縮率）×１／１００
［例］ベイ松、１５０ｍｍ梁材、新材の含水率２５％
築後１年の小屋裏含水率１０％まで乾燥する。
収縮量＝１５０ｍｍ×（２５−１０）×０．２１×１／１００＝３．１５ｍｍとなる。
仮に、一度増し締めを行っても、毎年、梅雨と秋の乾燥にさらされるので、膨張による圧縮と乾燥による収縮を繰り返すことになり、いくら締めても緩みが生じる。
そこで、この様な不都合を解消すべく自動的に半永久的に締め続ける増し締めの装置の出現が待望されていた。
【従来の技術】
従来の技術では、数年毎に床下や屋根裏に入り、ナットを締めるか、または、ナットと座金との間にコイルバネを入れナットで締め込み、圧縮する方法しかなく、全然効果がなかった。
そこで、前回出願分のキャップハットをナットにセットし、非常に増し締めの効果があったが、それらを取り付けるのに強いバネの力によって、強い反撥があり危険が伴い時間的にもロスがあった。
そこで今回はその全てを解決するものを紹介するものである。
【課題を解決するための手段】
ナットに係合するスパナ部とスパナ部に接続するぜんまいバネと、ぜんまいバネをナットの反締め込み方向に付勢した状態で拘束するとともに、分割または開閉によって拘束を解除できる保持枠と、保持枠を拘束状態に固定するとともに施工時に、固定を解除する仮止め部とから成ることを特徴とするナット増し締め装置。
請求項１において、保持枠は筒型でぜんまいバネの尾端を通す切欠きまたは貫通孔を有するとともに、枠体の少なくとも周上の１点で切り離され、切り離し部分において、枠体の両端部に夫々突出部を有し、突出部相互を連結固定し、施工時に連結を解除または緩める仮止め部から成ることを特徴とするナット増し締め装置。
【発明の実施の形態】
【構造の説明】
第１図と第２図は、ナット増し締め装置を締結部に載せた状態の斜視図であり、第２図は第１図の背部を示す。
第１図の１は、スパナ部であり鉄板をコの字形に成形し、その対向する２面がナットＮの２面に小さな間隙ではまり合う。
また、コの字形の中央部には貫通した穴を有し、建築ボルトＢにさし込む。
また、スパナ部１の一端はぜんまいバネ２の首端が固着されており、ぜんまいバネの幅はスパナ部の高さと等しいか、わずかに小さく、且つスパナ部の底面とぜんまいバネの底側側面は面一が望ましい。
３は保持枠であり、ぜんまいバネの付勢力を閉じ込めるに充分な剛性を有する厚みとスパナ部とぜんまいバネを収容する充分な高さと内径を有する円筒形である。
保持枠は円周上の一ヶ所で切り離されており、切り離し部分の端部にブラケット４１，４２が形成されている。
保持枠の固定用ブラケット４１，４２には保持枠の接線に平行な方向に同軸でネジ穴５１とバカ穴５２が加工されており、保持枠ボルト６によってブラケット４１，４２を連結固定している。
固定用ブラケット４２の外側には、開放用ブラケット４３が固着されている。開放用ブラケット４３は、ボルト６の頭の部分より小さく六角レンチを挿入できる穴５３を有する保持枠の底部にはぜんまいバネ２の尾端を通すに充分な切欠き３１がある。
ぜんまいバネの尾端は保持枠の切欠きを通過したあとで、上側の側線を渦の内側に倒すように約９０°ねじってある。
ぜんまいバネの尾端は止め孔２１を設け、止めネジ２２によって建築部材に固定されている。
ぜんまいバネの幅は建築ナットＮの厚みにほぼ等しく、ぜんまいバネの厚みと長さから決まる反撥力と復元量（ナットの回転量）は、対象とする建築部材と建築ボルトＢ、ナットＮの寸法から決定される。
この増し締め装置を組み立てる手順を説明する。
部品の状態では、スパナ部１に固着されたぜんまいバネは直線状である。
スパナ部を充分なトルクを有するモータ軸にはめ合わせるとともに、スパナ部近くでぜんまいバネの表裏面を拘束する。
この状態で、増し締め量を充分に満たすよう設定されるスパナ部１とぜんまいバネには巻き締めた状態で保持枠に挿入し、ぜんまいバネ自身の反撥力によって保持枠の内面に固定される。
モータ軸を建築ボルト用ナットの反締め込み方向に駆動すると、ぜんまいバネは渦巻き状に巻き込まれる。
この状態で保持枠に挿入し、ぜんまいバネの尾端部分は切欠きに嵌め込む。
その後、駆動を解除すると、ぜんまいバネが戻って、反撥力により保持枠内面に密着する。
最後にぜんまいバネの尾端を切欠きから外にある範囲で、使用状態で上側となる側線を渦巻きの内側になるように約９０°ねじって、建築材の面に合わせる。
【施工方法の説明】
次に本願の増し締め装置の使用方法を説明する。
本造建築物に使用されているボルト・ナット締結部において、ボルトの頭に空回りしない処置を施し、ナットをレンチ等でいっぱいに締めたあと、増し締め装置の中央部に貫通した穴をボルトに挿入してナットに嵌め合わせる。
スパナ部とナット間のガタを無くすように増し締め、時計回り方向に回して密着安定させる。
次にぜんまいバネ２の尾端の穴２１を利用し、２２のネジ釘で固定する。第４図に示すように、４３の開放用ブラケットの穴５３から、六角レンチ４４を挿入して、ボルト６を緩めるとブラケット４１と４２が離間して、保持枠が開き、ぜんまいバネは拘束が解かれてガタッと音を立ててバネが少しふくらむ。
この時点から、バネ反撥力による締め付け力がナットに働く。
更に六角レンチで緩め続けると、開放用ブラケット４３にボルト６の頭が当たり、保持枠が押し広げられて、ぜんまいバネと保持枠とが強い摩擦で固定されているのが開放され、簡単に且つ安全に保持枠を取り外すことができる。
第５図は、スパナ部の使用状態を示す断面である。
スパナ部とぜんまいバネはワッシャＷとの間に少しのすき間をもって設置され、増し締め作動時における摩擦抵抗を少なくしている。
第５図と第７図に示すように、保持枠を取り外した後、ぜんまいバネが飛び出して外れないようにその建築ボルトＢのネジのピッチに合った押え板８をぜんまいバネとスパナ部に一定のすき間を設けてセットする。
その押え板８のネジ穴９２につれ回りボルト９をねじ込む。
木材の収縮にともなって、スパナ部が回転するときつれ回りボルト９がスパナ部あるいはぜんまいバネに当たって押え板はナットとつれ回りをする。
これによりバネとスパナ部とのセットした時と同じすき間を維持する。
保持枠を外すとナット増し締め装置の強力な作用が発生する。
その発生する作用を説明すると、湿気を木部が充分に吸い込んだ時は、木材が膨らみ、この増し締め装置を使った部分も、増し締め装置をつけていない従来のボルト・ナットも全く同じようによく締まっている。
しかし、木材が乾燥し始めると、両者の差が始まり、強力なぜんまいによって強い力がいつもナットにかかっているので、時計の短針が目で見てわからないように動いているのと同じように木部とナットとの間に目に見ることのできないすき間ができると同時に瞬時に増し締めする事ができる。
取り外した保持枠は回収し、何度でもぜんまいバネをこの中にセットして再利用する事ができる。
また回収する目的は、再利用はもちろん乍ら、施主の金銭的負担を少しでも軽減するために回収する。
また、建物の壁に土壁を塗る際は、この増し締め装置を取り付け、箱のようなもので土壁の侵入を防ぐ事もできる。
また、この増し締め装置を取り付ける時、木材からの湿気がこないように湿気防止のシートを増し締め装置の下に敷くことも、上にかぶせることもできる。
第５図の押え座金８は、中央部に建築ボルトと同じタップをきってあり、尚ボルト９を取り付けるタップもきってあるバネが飛び出ないように、押え座金８をぜんまいバネとスパナ部とに一定のすき間を設けて取り付けてボルト９をスパナ部とバネとのすき間にさし込む。
それは木材が収縮し、スパナ部がぜんまいバネによって回転する時に一定のすき間を保ちながら回転するものである。
尚、スパナ部が回るとボルト９がスパナ部に当たり、一定の間隔で回り続けるのも特徴の一つである。
また、運搬時に粗雑に扱うと非常に力の強いぜんまいバネなので保持枠からぜんまいバネが飛び出さないよう、作業者の安全の為に第６図のように押え座金上下２枚を使用し、スパナ部の中央部の穴を利用し、ボルト等で仮止めをして持ち運ぶ事により安全度が保持できる。
また、第８図のように、保持枠を２以上の切断面を設け、ブラケットを固着または、成形する事により、面倒なタップ穴をする事もなくバカ穴をあけ、ボルト締めする事も一つの方法であり、また、ブラケットの一片のかたまり（２枚）を嵌め込み回転するようにする事も可能である。
ボルトが木材の表面より深く掘り込んである場合は、スパナ部がナット部に当たり本来の力が発揮できるようにスパナ部を長くする事もできる。
保持枠の外周をぜんまいバネの力に対抗できるだけの針金、または、ビニール系のバンド等、または、それに順ずる物で結束し、ぜんまいバネを完全に固定して、それらの針金、バンド等をハサミまたはペンチなどで切断し、保持枠を取り外す事もできる。
また、ぜんまいバネの一ヶ所以上を直接取り付けた後、その結束を解除し、バネの力を働かせる事も可能である。
今までの増し締め具的なものは、建築時に即使用されなくてはならず、雨水がかかり、錆びにより効果が無くなる恐れがあったが、この増し締め装置をナットの頭部にかぶせる事ができ、建築時に使用しなくても、雨のかからない状態に建築工事になった時点で使用でき、しかも大変安全にこの増し締め装置の取り付けが施工できるのも特徴の一つである。
【図面の簡単な説明】
第１図は、増し締めを締結部に載せた状態の斜視図である。
第２図は、第１図の背部を示す。
第３図は、固定用ブラケット４１，４２とボルト６によって、保持枠を締め付けている。
第４図は、開放用ブラケット４３を利用し、六角レンチで開放しているところ。
第５図は、建築用のナットにコの字形に成形したスパナ部１と渦巻きバネ２が飛び出さないようにした押え板８の断面図。
第６図は、運搬時の安全の為に、押え板８を２枚利用して仮止めした断面図。
第７図は、押え板８を示す。
第８図は、保持枠が切断面を２以上もった図。
第９図は、増し締めを木部に取り付け、保持枠を外して８の押え板を取り付けた所を示す。
尚、押え板８は破線ではあるが、第５図に示した様に上部につけるものである。
１．コの字形に成形したスパナ部        ２．ぜんまいバネ
２１．ぜんまいバネの尾端の取付け穴
２２．ぜんまいバネの尾端の取付けビス        ３．保持枠
３１．保持枠の切欠き部        ４１．４２．固定用ブラケット
４３．開放用ブラケット        ４４．六角レンチ
５１．固定用ブラケット４１のタップ穴
５２．固定用ブラケット４２のバカ穴
５３．開放用ブラケット４３の六角レンチ４４の差しこみ用穴
６．保持枠ボルト        ７．仮止めボルト        ８．押え板
９．スパナ部に当たって共に回るつれ回りボルト
９１．建築ボルト用のタップ穴          ９２．９のタップ穴
【図１】
2004270912.tif 000003
【図２】
2004270912.tif 000004
【図３】
2004270912.tif 000005
【図４】
2004270912.tif 000006
【図５】
2004270912.tif 000007
【図６】
2004270912.tif 000008
【図７】
2004270912.tif 000009
【図８】
2004270912.tif 000010
【図９】
2004270912.tif 000011